(57)【特許請求の範囲】
【請求項１】
キャビネット本体の前面に三面鏡を備えるミラーキャビネットであって、この三面鏡の一対のサイドミラーと中央ミラーに対応してそれぞれサイド収納部と中央収納部がキャビネット本体に形成され、
前記三面鏡は閉じた状態でそれぞれの鏡面が面一に配置されるとともに前記サイド収納部と中央収納部の奥行き外寸法が同じ寸法で形成され、
前記サイドミラーは、ミラー前扉とこのミラー前扉の一端に蝶番にて枢着される後扉とからなる二枚扉、又は、前記ミラー前扉からなる一枚扉で構成され、
前記サイドミラーが二枚扉で構成される場合、前記後扉の前記蝶番とは反対側の端部がスライド蝶番を介して前記キャビネット本体の外側端部に枢着され、前記中央ミラーの蝶番は、前記キャビネット本体の外側端部に枢着されるとともに前記サイドミラーの前記スライド蝶番より前記キャビネット本体から突出して形成され、
前記サイドミラーが一枚扉で構成される場合、前記中央ミラーの蝶番は、前記キャビネット本体の外側端部に枢着されるとともに前記サイドミラーが二枚扉で構成される場合における前記中央ミラーの蝶番よりも突出長が短く形成されることを特徴とするミラーキャビネット。
【請求項２】
請求項１に記載のミラーキャビネットであって、
前記サイドミラーが二枚扉で構成される場合、前記三面鏡は閉じた状態で中央ミラーの上下端部と前記キャビネット本体との間には、隙間が形成されることを特徴とするミラーキャビネット。
【請求項３】
請求項２に記載のミラーキャビネットであって、
前記中央ミラーの裏面側に、収納棚を設けることを特徴とするミラーキャビネット。
【発明の詳細な説明】
【技術分野】
【０００１】
本発明は、キャビネット本体の前面に三面鏡を備えるミラーキャビネットに関し、詳しくは、サイドミラー扉の構成枚数に拘らずミラーキャビネット本体を共用できるミラーキャビネットに関するものである。
【背景技術】
【０００２】
従来、三面鏡を備えるミラーキャビネットのキャビネット本体の空間を有効利用して収納量の増加を図るために、ミラーキャビネット本体を大型化することなく収納量を増加する構成が求められていた。
【０００３】
このようなミラーキャビネットの構成が特許文献１に開示されている。図４、図５に示すように、ミラーキャビネット１はキャビネット本体２の前面に三面鏡３が配置される。
【０００４】
サイドミラー扉４はミラー前扉９と後扉１０との２枚扉で構成されており、ミラー前扉９と後扉１０とを重ねた状態で矢印Ｑ１に示すように外側に開くことによって収納棚６を使用できるようになる。また、後扉１０を閉じたままでミラー前扉９のみを矢印Ｑ２に示すように内側に開くようにすれば、三面鏡３として使用できるようになる。
【０００５】
キャビネット本体２に設けられる中央収納部８の前端はサイド収納部７の前端よりも前方Ｆに突出していると共に、中央収納部８の奥行き寸法Ａがサイド収納部７の奥行き寸法Ｂよりも大きくなっている。なお、各奥行き寸法は収納棚６とサイド収納部７とが接触しない範囲内で且つ中央ミラー扉５と中央収納部８とが接触しない範囲内を条件として決められる。
【特許文献１】特開２００３−２３５６５５号公報
【発明の開示】
【発明が解決しようとする課題】
【０００６】
ところが、キャビネット本体２の前後方向の奥行き外寸法は、中央収納部８での外寸法ＡＡがサイド収納部７での外寸法ＢＢよりも大きくなっている。
【０００７】
このため、サイドミラー扉４と中央ミラー扉５がそれぞれ一枚扉から成る三面鏡を取付ける場合には外寸法ＡＡと外寸法ＢＢは同じ寸法でよいので、外寸法の異なるキャビネット本体２を兼用することができないため、別形状のキャビネット本体を用意する必要があるためコストが高くなるという問題があった。
【０００８】
そこで、本発明はかかる従来技術の問題に鑑みなされたものであって、サイドミラー扉と中央ミラー扉がそれぞれ一枚扉から成る三面鏡の場合でも、中央ミラー扉が一枚でサイドミラー扉が二枚扉から成る三面鏡の場合でも、ミラーキャビネット本体を共用できるミラーキャビネットを提供することを目的とする。
【課題を解決するための手段】
【０００９】
請求項１の発明は、キャビネット本体の前面に三面鏡を備えるミラーキャビネットであって、この三面鏡の一対のサイドミラーと中央ミラーに対応してそれぞれサイド収納部と中央収納部がキャビネット本体に形成され、前記三面鏡は閉じた状態でそれぞれの鏡面が面一に配置されるとともに前記サイド収納部と中央収納部の奥行き外寸法が同じ寸法で形成され、前記サイドミラーは、ミラー前扉とこのミラー前扉の一端に蝶番にて枢着される後扉とからなる二枚扉、又は、前記ミラー前扉からなる一枚扉で構成され、前記サイドミラーが二枚扉で構成される場合、前記後扉の前記蝶番とは反対側の端部がスライド蝶番を介して前記キャビネット本体の外側端部に枢着され、前記中央ミラーの蝶番は、前記キャビネット本体の外側端部に枢着されるとともに前記サイドミラーの前記スライド蝶番より前記キャビネット本体から突出して形成され、前記サイドミラーが一枚扉で構成される場合、前記中央ミラーの蝶番は、前記キャビネット本体の外側端部に枢着されるとともに前記サイドミラーが二枚扉で構成される場合における前記中央ミラーの蝶番よりも突出長が短く形成されることを特徴としている。
【００１０】
請求項２の発明は、請求項１に記載のミラーキャビネットであって、前記サイドミラーが二枚扉で構成される場合、前記三面鏡は閉じた状態で中央ミラーの上下端部と前記キャビネット本体との間には、隙間が形成されることを特徴としている。また、請求項３の発明は、請求項２に記載のミラーキャビネットであって、前記中央ミラーの裏面側に、収納棚を設けることを特徴としている。
【発明の効果】
【００１１】
請求項１記載の発明によれば、前記サイド収納部と中央収納部の奥行き外寸法が同じ寸法で形成されるので、キャビネット本体はサイドミラー扉と中央ミラー扉がそれぞれ一枚扉から成る三面鏡の場合にも共用することによってコストを低減することができる。また、前記中央ミラーの蝶番を前記サイドミラーの蝶番より前記キャビネット本体から突出して形成することで前記三面鏡は閉じた状態でそれぞれの鏡面を確実に面一に配置することができる。
【００１２】
請求項２記載の発明によれば、閉じた状態の中央ミラー扉の上下端部とキャビネット本体との間には隙間が形成されるが、前記中央ミラーの蝶番を前記サイドミラーの蝶番より前記キャビネット本体から突出して形成することで前記三面鏡は閉じた状態でそれぞれの鏡面を確実に面一に配置することができる。また、請求項３記載の発明によれば、前記中央ミラーが閉じた状態で隙間は収納棚によって見掛け上塞がれた状態にできる。
【発明を実施するための最良の形態】
【００１３】
＜本発明の実施形態＞
以下に、本発明の実施形態を図１、図２に基づいて説明する。
＜ミラーキャビネットの構成＞  
【００１４】
図１、図２に示すように、ミラーキャビネット１１はキャビネット本体１２の前面に三面鏡１３を備え、この三面鏡１３の一対のサイドミラー１４と中央ミラー１５に対応してそれぞれサイド収納部１７と中央収納部１８がキャビネット本体１２に形成される。
【００１５】
より詳しくは、サイドミラー１４はミラー前扉１９とこのミラー前扉１９の一端に蝶番２０ａにて枢着される後扉２０とからなる二枚扉で構成され、この後扉２０の蝶番２０ａとは反対側の端部がスライド蝶番２０ｂを介してキャビネット本体１２の外側端部に枢着される。
【００１６】
ミラー前扉１９は蝶番２０ａを中心にして矢印Ｐ１方向に開き、後扉２０はスライド蝶番２０ｂを中心に矢印Ｐ２方向に開くことができる。このため、後扉２０を閉じた状態でミラー前扉１９だけを開くことや、ミラー前扉１９と後扉２０を合わせた状態でミラー前扉１９と後扉２０を一体的に開くこともできる。さらに、図１に示すようにミラー前扉１９と後扉２０を別々に同時に開くこともできる。中央ミラー１５は一枚扉で蝶番１５ａを中心にして矢印Ｐ３方向に開くことができる。
【００１７】
そして、サイド収納部１７と中央収納部１８の奥行き外寸法が同じ寸法Ｋで形成されるので、キャビネット本体１２の開口部１２ａは実質的に段差のない垂直面で形成される。
【００１８】
ここで、三面鏡１３は閉じた状態でそれぞれの鏡面が面一に配置される構成なので、閉じた状態の中央ミラー１５の上下端部とキャビネット本体１２との間には隙間２５が形成されるが、この隙間２５は三面鏡１３の前方からは目立たないので特に塞ぐ必要はない。なお、中央ミラー１５の裏側に収納棚等を設けると中央ミラー１５が閉じた状態で隙間２５は収納棚等によって見掛け上塞がれた状態にできる。
【００１９】
中央ミラー１５の蝶番１５ａはキャビネット本体１２から支持片１５ｂを介して隙間２５を跨ぐように取付けられる。このように、蝶番１５ａは隙間２５を跨ぐ位置に配置されるのでサイドミラー１４のスライド蝶番２０ｂより突出して形成される。
＜ミラーキャビネットの作用＞
【００２０】
図３に示すように、（図２に示す三面鏡１３の構成と同構成部分については、図面に同符号を付して重複した説明を省略する。）キャビネット本体１２の開口部１２ａが段差のない垂直面に形成されたキャビネット本体１２に対して、サイドミラーとしてのミラー前扉１９と中央ミラー１５がそれぞれ一枚扉から成る三面鏡が取付けられる。
【００２１】
この場合、ミラー前扉１９と中央ミラー１５はスライド蝶番２０ｂと蝶番１５ａを介してキャビネット本体１２に枢着されるが、ミラー前扉１９と中央ミラー１５をキャビネット本体１２との間に隙間がない状態で取付けることができる。
【００２２】
このように、キャビネット本体１２の開口部１２ａが段差のない垂直面に形成されるので、サイドミラーが二枚扉で中央ミラーが一枚扉で形成される三面鏡の場合でも、サイドミラーと中央ミラーがそれぞれ一枚扉から成る三面鏡の場合でも、ミラーキャビネット本体が共用できるのでコスト低減できる。
【００２３】
以上、本発明の実施例を図面に基づいて説明したが、具体的な構成はこの実施例に限られるものではなく本発明の要旨を逸脱しない範囲の設計変更等があっても本発明に含まれる。
【００２４】
例えば、閉じた状態の中央ミラー１５の上下端部とキャビネット本体１２との間の隙間２５をキャビネット本体１２とは別体の塞ぎ板を用意して覆ってもよい。
【００２５】
この場合、隙間２５は塞がれた状態なので、中央ミラー１５の裏側に収納棚等を設ける必要がないので中央収納部１８を奥行きの広いスペースとして使用することもできる。
【図面の簡単な説明】
【００２６】
【図１】本発明の実施形態におけるミラーキャビネット１１の左側のサイドミラー１４を開いた状態を示す斜視図である。
【図２】本発明の実施形態における、図１の三面鏡１３が閉じた状態におけるＡ−Ａ矢視図である。
【図３】図２のキャビネット本体１２を用いて、ミラー前扉１９と中央ミラー１５がそれぞれ一枚扉から成る三面鏡を取付けた状態を示す図である。
【図４】従来の、ミラーキャビネット１の水平断面図である。
【図５】図４のキャビネット本体２の状態を示す斜視図である。
【符号の説明】
【００２７】
１０ｂ  スライド蝶番
１１  ミラーキャビネット
１２  キャビネット本体
１２ａ  開口部
１３  三面鏡
１４  サイドミラー
１５  中央ミラー
１５ａ  蝶番
１９  ミラー前扉
２０  後扉
２０ａ  蝶番
２０ｂ  スライド蝶番
２５  隙間
【図１】
0004877131.tif 000002
【図２】
0004877131.tif 000003
【図３】
0004877131.tif 000004
【図４】
0004877131.tif 000005
【図５】
0004877131.tif 000006